(57)【要約】      （修正有）【課題】軽い操作であっても舌苔を効率的に除去することができる構成を採用することにより、舌の表面を荒らすことがなく、確実に口臭を予防すると共に、口腔内環境を良好にすることが可能な舌ブラシを提供する。【解決手段】舌ブラシ１０は、植毛台２２および植毛台２２に植設された複数の毛束２４からなるブラシ部２０と、ブラシ部２０と一体形成され、柄５０に接続可能に形成された接続部３０と、を有する。複数の毛束２４は、接続部３０側から離反するに伴って、植毛台２２に対する高さ寸法が増加している。【選択図】図２
0003190601.tif 000002
【実用新案登録請求の範囲】
【請求項１】
植毛台および該植毛台に植設された複数の毛束からなるブラシ部と、
該ブラシ部と一体形成され、柄に接続可能に形成された接続部と、を有する舌ブラシであって、
前記複数の毛束は、前記接続部側から離反するに伴って、前記植毛台に対する高さ寸法が増加していることを特徴とする舌ブラシ。
【請求項２】
前記毛束を構成するブラシ毛は、前記毛束内において前記接続部側から離反するに伴って、前記植毛台に対する高さ寸法が増加していることを特徴とする請求項１記載の舌ブラシ。
【請求項３】
前記ブラシ部は、前記接続部側から離反するに伴って前記植毛台の幅方向における前記毛束の植設数が増加していることを特徴とする請求項１または２記載の舌ブラシ。
【請求項４】
前記ブラシ部を平面視した際に、前記毛束が同心の円弧状配列をなして前記植毛台に植設されていることを特徴とする請求項１〜３のうちのいずれか一項に記載の舌ブラシ。
【請求項５】
前記ブラシ部と前記接続部は曲折部を有するへ字状をなしていて、
前記ブラシ毛は、前記曲折部の内側に向って前記植毛台から起立していることを特徴とする請求項１〜４のうちのいずれか一項に記載の舌ブラシ。
【請求項６】
前記毛束は、径寸法が１００マイクロメートル以下であって１００本以上のブラシ毛により形成されていることを特徴とする請求項１〜５のうちのいずれか一項に記載の舌ブラシ。
【考案の詳細な説明】
【技術分野】
【０００１】
本考案は、舌ブラシに関する。
【背景技術】
【０００２】
口臭防止に代表される口腔内ケアとしては、舌苔を除去することが好適であることが知られている。このような舌苔を除去するための舌ブラシと呼ばれる商品がある。このような舌ブラシの一例として、特許文献１に開示されているような形態のものが提案されている。
【先行技術文献】
【特許文献】
【０００３】
【特許文献１】特開２００１−３１４２３２号公報
【考案の概要】
【考案が解決しようとする課題】
【０００４】
特許文献１に記載されている舌ブラシは、歯ブラシと舌ブラシが一体化されたものである。このような舌ブラシの構成によれば、歯みがきを行った際に、舌苔の除去処理も行うことができるため適切な口腔内ケアが可能になる点において好都合である。しかしながら、特許文献１に記載されている舌ブラシは、図からも明らかなとおり、舌苔を掻き取りする部位であるスクレーパが小さいため、効率的に舌苔を除去することができないという課題がある。また、このような舌ブラシを用いると舌苔を除去する際に力を掛けすぎてしまいがちになるため、舌の表面が荒れてしまうおそれがあり、場合によっては味覚障害が生じる等の課題もある。
【０００５】
そこで本考案は、軽い操作であっても舌苔を効率的に除去することができる構成を採用することにより、舌の表面を荒らすことがなく、確実に口臭を予防すると共に、口腔内環境を良好にすることが可能な舌ブラシの提供を目的としている。
【課題を解決するための手段】
【０００６】
上記課題を解決するために本考案者は鋭意研究を行った結果、以下の構成に想到した。
すなわち、植毛台および該植毛台に植設された複数の毛束からなるブラシ部と、該ブラシ部と一体形成され、柄に接続可能に形成された接続部と、を有する舌ブラシであって、前記複数の毛束は、前記接続部側から離反するに伴って、前記植毛台に対する高さ寸法が増加していることを特徴とする。
【０００７】
これにより、ブラシ部の毛束により舌の上を軽くこする動作を行うだけで確実に舌苔を除去することができ、舌の表面を荒らしてしまうことがない。
【０００８】
また、前記毛束を構成するブラシ毛は、前記毛束内において前記接続部側から離反するに伴って、前記植毛台に対する高さ寸法が増加していることが好ましい。
【０００９】
これにより、舌に接触する部分の全体を平坦面にすることができるため、ブラシ部全体で均等に舌苔を掻き取ることができるため、使い勝手が良好である。
【００１０】
また、前記ブラシ部は、前記接続部側から離反するに伴って前記植毛台の幅方向における前記毛束の植設数が増加していることが好ましい。
【００１１】
これにより、口腔内の奥側における毛束の数が多くなるため、舌苔を掻き取りする表面積を口腔内の手前側よりも大幅に増やすことができる。これにより、舌苔との接触機会の多い口腔内の奥側における毛束の数が増えることにより舌ブラシの舌苔除去能力が向上し、舌苔を確実に除去することができる。
【００１２】
また、前記ブラシ部を平面視した際に、前記毛束が同心の円弧状配列をなして前記植毛台に植設されていることが好ましい。
【００１３】
これにより口腔内の舌苔をバランスよく掻き取りすることができる。
【００１４】
また、前記ブラシ部と前記接続部は曲折部を有するへ字状をなしていて、前記ブラシ毛は、前記曲折部の内側に向って前記植毛台から起立していることが好ましい。
【００１５】
これにより、ブラシ部を口腔内の奥まで入れやすくすることができるから、口腔内の奥側から舌苔を除去することができる。
【００１６】
また、前記毛束は、径寸法が１００マイクロメートル以下であって１００本以上のブラシ毛により形成されていることが好ましい。
【００１７】
これにより、舌に対する接触感をさらにソフトにすることができ、かつ、ブラシ毛が口腔内の状態に応じて柔軟に変形することになるので、舌の表面を荒らすことなく、効率的に舌苔の除去処理を行うことができる。
【考案の効果】
【００１８】
本考案にかかる舌ブラシの構成によれば、舌ブラシを舌の上で軽く摺動させるだけで確実に舌苔を掻き取りすることができるので、舌の表面を荒らすことなどなく、口腔内を傷つけることなく効率的に舌苔の除去処理をすることが可能になる。
【図面の簡単な説明】
【００１９】
【図１】本実施形態にかかる舌ブラシの斜視図である。
【図２】本実施形態にかかる舌ブラシの正面図である。
【図３】本実施形態にかかる舌ブラシの平面図である。
【図４】他の実施形態の一例を示す舌ブラシの正面図である。
【考案を実施するための最良の形態】
【００２０】
以下、本考案にかかる舌ブラシの実施形態について図面に基づいて具体的に説明する。
本実施形態にかかる舌ブラシ１０は、図１〜図３に示すように、植毛台２２と、植毛台２２に植設された複数の毛束２４からなるブラシ部２０と、接続部３０とが一体形成されてなる。接続部３０は把持部となる別体の柄５０に差し込むことにより接続可能に形成されている。
【００２１】
本実施形態におけるブラシ部２０の複数の毛束２４，２４，・・・は、図２に示すように、植毛台２２において、接続部３０側から離反するに伴って植毛台２２の上面に対する高さ（植毛台２２からの毛束２４の起立高さ）寸法が徐々に増加するように形成されている。さらには、それぞれの毛束２４内においても、接続部３０側から離反するに伴って毛束２４（ブラシ毛２４Ａ）の植毛台２２からの突出高さ寸法が徐々に増加しているため、ブラシ部２０の先端部（舌と接触する部分）は、略連続な平坦面に形成されている。このように舌と接触する部分を全体として連続な平坦面に形成することで舌ブラシ１０を舌に接触させた際における接触圧力を低下させることができ、きわめてソフトな使用感の舌ブラシ１０を提供することができる。
【００２２】
また、本実施形態においては、ブラシ部２０と接続部３０とは屈曲部２６を有し、正面視形状が略へ字状をなしている。毛束２４を構成する各ブラシ毛２４Ａ，２４Ａ，・・・は、への字の内側方向に向って起立するように植毛台２２に植設されている。このようなへ字形状の舌ブラシ１０を採用することにより、ブラシ部２０が口腔内の奥側に入り込みやすくなるため、舌の根元側から確実に舌苔を除去することができるため好都合である。
【００２３】
また、図３に示すように、舌ブラシ１０の平面形状は銀杏の葉の形状に類似した形状をなしている。植毛台２２において複数の毛束２４が植設されている領域の平面視形状は、接続部３０側から離反するに伴って毛束２４の植設数が増加する略等脚台形形状をなしている。また毛束２４はブラシ部２０（植毛台２２）の幅方向に円弧状配列となるように配設されている。このような配列を採用することにより、舌苔を掻き取りする毛束２４の表面積を口腔内の手前側よりも大幅に増やすことができる。すなわち、舌苔との接触機会の多い口腔内の奥側における毛束２４の舌苔除去能力が向上し、舌苔を確実に除去することができる。
【００２４】
本実施形態における毛束２４を構成するブラシ毛２４Ａは、通常の歯ブラシにおけるブラシ毛に対して大幅に細径（直径７０マイクロメートル）に形成されたナイロン製のブラシ毛２４Ａが用いられている。また、本実施形態においては毛束２４一箇所あたりに２１０本のブラシ毛２４Ａを用いている。
【００２５】
本実施形態におけるブラシ部２０の複数の毛束２４，２４，・・・は植毛台２２の平面領域内においてそれぞれ異なる高さ寸法に形成されているが、ブラシ部２０内における毛束２４の植毛台２２表面に対する平均突出高さは８ミリメートルであった。毛束２４一箇所あたりにおけるブラシ毛２４Ａの本数が２１０本であるのでこの場合におけるブラシ毛２４Ａの合計表面積を計算したところ、３６９平方ミリメートルであった。これは一辺の長さが１９．２ミリメートルの正方形の面積に匹敵する。本実施形態においては、植毛台２２の平面領域内に、このような毛束２４を植毛台２２の８０箇所に植設した。
【００２６】
このように多大な表面積を有する毛束２４（ブラシ毛２４Ａ）が植毛台２２に多数植設されているので、本実施形態における舌ブラシ１０を用いることによりきわめて効率的に舌苔を除去することができるのである。また、毛束２４を構成しているブラシ毛２４Ａは、ナイロン製の極細毛であるからきわめて柔軟性に優れており、口腔内の状態（口腔内の凹凸形状）に応じてブラシ毛２４Ａが適切に弾性変形し、各ブラシ毛２４Ａが効率的に舌苔を除去することができる。また、ブラシ毛２４Ａが舌苔を掻き取りする際に舌の表面を傷つけてしまう心配もない。
【００２７】
また、舌ブラシ１０の先端側における毛束２４のブラシ毛２４Ａの高さは、舌ブラシ１０接続部３０側における毛束２４のブラシ毛２４Ａの高さよりも高く形成されているので、舌ブラシ１０を口の中に入れた際に、口の中における舌の頂上位置を超えて、舌の付け根部分側の表面に沿った状態（舌苔の付着面に密着させた状態）でブラシ部２０のブラシ毛２４Ａを接触させることができる。これにより、特別な掻き取り動作をせずとも舌の付け根部分から確実に舌苔を掻き取りすることができる点においても好都合である。
【００２８】
以上、実施形態に基づいて本考案にかかる舌ブラシ１０について詳細に説明をしたが、本考案にかかる舌ブラシ１０の構成は以上の実施形態に限定されるものではない。たとえば本実施形態においては、毛束２４を構成するブラシ毛２４Ａとして、直径７０マイクロメートルのナイロン製のブラシ毛２４Ａを２１０本用いているが、ブラシ毛２４Ａは他の合成樹脂や動物毛等を用いることもできるし、ブラシ毛２４Ａの直径寸法も７０マイクロメートルに限定されるものではない。要は、一般的な歯ブラシに用いられるブラシ毛の径寸法（４ミル（１０００分の４インチ））より細径寸法であればよく、各毛束２４を構成ブラシ毛２４Ａの本数についても可及的に多く（１００本以上）植設されていればよい。
【００２９】
また、植毛台２２におけるそれぞれの毛束２４において、ブラシ毛２４Ａは、接続部３０から離れるに伴って高さ寸法が増加する実施形態について説明しているが、同一の毛束２４におけるブラシ毛２４Ａの高さ寸法は、図４に示すように毛束２４内において同じ高さとすることもできる。
【００３０】
さらに、本実施形態で説明した舌ブラシ１０は、電動歯ブラシの本体に接続して用いることも可能であるし、舌ブラシ１０を歯ブラシとして使用してもよい。歯槽膿漏を患っている場合においては、本考案にかかる舌ブラシ１０を用いれば、歯みがきによって歯茎からの出血や歯茎の損傷を防止することができ快適な歯みがきが可能になる。
【符号の説明】
【００３１】
１０  舌ブラシ
２０  ブラシ部，２２  植毛台，２４  毛束，２４Ａ  ブラシ毛，２６  曲折部
３０  接続部
５０  柄（把持部）
【図１】
0003190601.tif 000003
【図２】
0003190601.tif 000004
【図３】
0003190601.tif 000005
【図４】
0003190601.tif 000006